(57)【要約】【課題】リレーの接点異常を検出するための手段を備えた集合住宅用インターホンシステムを提供する。【解決手段】通話装置１は、所望の住戸機Ａとの間で音声信号を伝送可能とするように制御線Ｌｃを通る制御信号により住戸機Ａに分岐器Ｂ内の分岐リレーの接点を切り替えさせるとともに、当該住戸機Ａに向けて信号線Ｌｄを通して所定の試験信号を送出する試験手段３５を有する。住戸機Ａは、試験手段３５が試験信号を送出した後、予め設定されている試験時間に試験信号を受信したか否かを検出し、試験信号を受信しなかった場合には、通話装置１との間の伝送線路を構成するリレーの接点に異常があることを通知する検出手段としての機能をＣＰＵ２１に有する。【選択図】図１
2008047974.tif 000002
【特許請求の範囲】
【請求項１】
音声の入出力が可能な通話装置と、通話装置に対してそれぞれ伝送線路を介して接続される複数台の住戸機とを備え、伝送線路は、通話装置に接続された幹線と、各住戸機にそれぞれ接続された住戸別線と、幹線と各住戸別線との接続部位にそれぞれ介装された複数台の分岐器とを有し、幹線および住戸別線は、通話装置と１台の住戸機との間で通話可能とする際に当該住戸機を指定する制御信号を伝送する制御線と、音声信号を伝送する信号線とで構成され、各分岐器は、信号線について通話装置側の幹線を送り側の幹線に接続する状態と通話装置側の幹線を住戸別線に接続する状態とを切り替える接点を備えたリレーをそれぞれ有し、通話装置は、所望の住戸機との間で音声信号を伝送可能とするように制御信号により住戸機に前記リレーの接点を切り替えさせ、且つ当該所望の住戸機に向けて信号線を通して所定の試験信号を送出する試験手段を有し、試験手段が試験信号を送出した後であって予め設定されている試験時間に当該所望の住戸機が試験信号を受信したか否かを検出し、試験信号を受信しなかった場合には当該所望の住戸機と通話装置との間の伝送線路を構成するリレーの接点に異常があることを通知する検出手段が設けられていることを特徴とする集合住宅用インターホンシステム。
【請求項２】
前記幹線は複数系統設けられており、前記伝送線路は、当該複数系統の幹線と前記通話装置との間に、通話装置に接続する幹線を選択する経路切替器を有し、経路切替器は、各幹線の信号線について通話装置を接続する状態と接続しない状態とを切り替える接点を備えたリレーを有し、前記試験手段は、経路切替器のリレーについても、所望の前記住戸機との間で音声信号を伝送可能とするように住戸機に接点を切り替えさせ、前記検出手段は、試験手段が前記試験信号を送出した後であって予め設定されている試験時間に当該所望の住戸機が試験信号を受信したか否かを検出し、試験信号を受信しなかった場合には当該所望の住戸機と通話装置との間の伝送線路を構成する前記分岐器および経路切替器の少なくとも一方のリレーの接点に異常があることを通知することを特徴とする請求項１記載の集合住宅用インターホンシステム。
【請求項３】
音声の入出力が可能な通話装置と、通話装置に対してそれぞれ伝送線路を介して接続される複数台の住戸機とを備え、伝送線路は、通話装置に接続された幹線と、各住戸機にそれぞれ接続された住戸別線と、幹線と各住戸別線との接続部位にそれぞれ介装された複数台の分岐器とを有し、幹線および住戸別線は、通話装置と１台の住戸機との間で通話可能とする際に当該住戸機を指定する制御信号を伝送する制御線と、音声信号を伝送する信号線とで構成され、各分岐器は、信号線について通話装置側の幹線を送り側の幹線に接続する状態と通話装置側の幹線を住戸別線に接続する状態とを切り替える接点を備えたリレーをそれぞれ有し、通話装置は、所望の住戸機との間で音声信号を伝送可能とするように制御信号により前記リレーの接点を切り替え、且つ当該所望の住戸機に向けて信号線を通して所定の試験信号を送出する試験手段を有し、試験手段が試験信号を送出した後であって予め設定されている試験時間に当該所望の住戸機が試験信号を受信したか否かを検出し、試験信号を受信しなかった場合には当該所望の住戸機と通話装置との間の伝送線路を構成するリレーの接点に異常があることを通知する検出手段が設けられていることを特徴とする集合住宅用インターホンシステム。
【請求項４】
前記幹線は複数系統設けられており、前記伝送線路は、当該複数系統の幹線と前記通話装置との間に、通話装置に接続する幹線を選択する経路切替器を有し、経路切替器は、各幹線の信号線について通話装置を接続する状態と接続しない状態とを切り替える接点を備えたリレーを有し、前記試験手段は、経路切替器のリレーについても、所望の前記住戸機との間で音声信号を伝送可能とするように制御信号により接点を切り替え、前記検出手段は、試験手段が前記試験信号を送出した後であって予め設定されている試験時間に当該所望の住戸機が試験信号を受信したか否かを検出し、試験信号を受信しなかった場合には当該所望の住戸機と通話装置との間の伝送線路を構成する前記分岐器および経路切替器の少なくとも一方のリレーの接点に異常があることを通知することを特徴とする請求項３記載の集合住宅用インターホンシステム。
【請求項５】
前記住戸機は、少なくとも前記試験信号を受信した際に試験信号を受信したことを示す結果信号を前記通話装置に返信する結果返信手段を有することを特徴とする請求項１ないし請求項４のいずれか１項に記載の集合住宅用インターホンシステム。
【請求項６】
前記結果返信手段は、前記結果信号として前記信号線を伝送される音声信号を用いることを特徴とする請求項５記載の集合住宅用インターホンシステム。
【請求項７】
前記結果返信手段は、前記結果信号を前記住戸機ごとに予め割り当てられた周波数とし、前記通話装置は、受信した結果信号の周波数に基づいて当該結果信号を返信した住戸機を識別する返信元識別手段を有することを特徴とする請求項６記載の集合住宅用インターホンシステム。
【請求項８】
前記結果返信手段は、前記制御線を通して前記結果信号を返信することを特徴とする請求項５記載の集合住宅用インターホンシステム。
【請求項９】
前記通話装置は、受信した前記結果信号の内容を記憶する結果保持手段を有することを特徴とする請求項５ないし請求項８のいずれか１項に記載の集合住宅用インターホンシステム。
【請求項１０】
前記分岐器は、前記通話装置側の前記幹線と前記住戸別線との間に、前記リレーの前記接点と並列に接続され音声信号を通過させるバイパス手段を有し、前記試験手段は、音声信号を前記試験信号とすることによりバイパス手段を通して複数台の前記住戸機に試験信号を一斉送信する一斉試験モードと、バイパス手段を通過しない信号を試験信号とすることにより各住戸機に対して個別に試験信号を送信する個別試験モードとの２種類の試験モードを有し、前記通話装置は、一斉試験モードに関して受信した前記結果信号と、個別試験モードに関して受信した結果信号とを組み合わせて異常のあるリレーの範囲を絞り込む結果解析手段を有することを特徴とする請求項５ないし請求項９のいずれか１項に記載の集合住宅用インターホンシステム。
【請求項１１】
前記通話装置は、前記住戸機との間で通話する際にカメラで撮像された映像の映像信号を当該住戸機に前記信号線を通して送信する映像信号出力手段を有し、前記試験手段は、信号線を伝送される映像信号と音声信号との少なくとも一方を前記試験信号として用いることを特徴とする請求項１ないし請求項１０のいずれか１項に記載の集合住宅用インターホンシステム。
【請求項１２】
前記分岐器は、前記通話装置側の前記幹線と前記住戸別線との間に、前記リレーの前記接点と並列に接続され音声信号を通過させるバイパス手段を有し、前記試験手段は、音声信号を前記試験信号とすることによりバイパス手段を通して複数台の前記住戸機に試験信号を一斉送信することを特徴とする請求項１ないし請求項９のいずれか１項に記載の集合住宅用インターホンシステム。
【請求項１３】
前記試験手段は、前記試験信号として前記信号線を伝送される音声信号を用いることを特徴とする請求項１ないし請求項９のいずれか１項に記載の集合住宅用インターホンシステム。
【発明の詳細な説明】
【技術分野】
【０００１】
本発明は、マンションなどの集合住宅において、共用玄関や管理人室等に設置された通話装置と、各住戸にそれぞれ設置された複数台の住戸機との間で通話を可能とした集合住宅用インターホンシステムに関するものである。
【背景技術】
【０００２】
従来から、この種の集合住宅用インターホンシステム（以下、インターホンシステムと略称する）として、共用玄関に設置された通話装置（管理室インターホン、ロビーインターホンを含む）と、当該通話装置で呼び出された所望の住戸機との間で通話が可能となるものが提供されている。
【０００３】
このインターホンシステムでは、通話装置と各住戸機との間を接続する伝送線路が、通話装置に接続された幹線と、各住戸機にそれぞれ接続された住戸別線と、幹線と住戸別線との各接続部位に介装された複数台の分岐器とを有している。各分岐器は、それぞれ入力端子と出力端子と分岐端子との３系統の端子を備えており、入力端子に通話装置側の幹線が接続され且つ出力端子に送り側の幹線を介して他の分岐器の入力端子が接続されて、複数台の分岐器が多段接続されている。分岐端子には住戸別線を介して住戸機が接続される。
【０００４】
ここにおいて、各分岐器は、信号線について通話装置側の幹線を送り側の幹線に接続する状態と、通話装置側の幹線を住戸別線に接続する状態とで択一的に切り替えられる接点を備えたリレーを有している。しかして、通話装置で所望の住戸機が呼び出された際には、通話装置からの制御信号に応じて、当該所望の住戸機に住戸別線で接続された分岐器の接点が通話装置側の幹線と住戸別線とを接続する状態に切り替わる（たとえば特許文献１参照）。
【特許文献１】特許第２６５５７２８号公報（第３頁）
【発明の開示】
【発明が解決しようとする課題】
【０００５】
ところで、特許文献１に記載のインターホンシステムにおいては、分岐器は通話装置と住戸機との間に多段接続されているので、分岐器に含まれているリレーが過負荷や短絡電流などにより接点溶着してしまった場合、当該分岐器に直接接続されている住戸機のみならず、当該分岐器の後段に接続されている住戸機の全てにおいて、通話装置との通話が成立しないおそれがある。管理人室に通話装置（のうち管理室インターホン）を備えるインターホンシステムにおいても同様の問題がある。そのため、リレーの接点に溶着等の異常が生じた場合には、該当するリレーを早期に交換・修理することにより、インターホンシステムを復旧させることが望まれる。
【０００６】
しかし、従来のインターホンシステムでは、リレーの接点異常を検出するための手段が備わっておらず、通話装置と住戸機との通話が成立しないことを使用者が認識して初めてリレーの接点異常が発覚するから、インターホンシステムの復旧が遅れることがある。
【０００７】
本発明は上記事由に鑑みて為されたものであって、リレーの接点異常を検出するための手段を備えた集合住宅用インターホンシステムを提供することを目的とする。
【課題を解決するための手段】
【０００８】
請求項１の発明では、音声の入出力が可能な通話装置と、通話装置に対してそれぞれ伝送線路を介して接続される複数台の住戸機とを備え、伝送線路は、通話装置に接続された幹線と、各住戸機にそれぞれ接続された住戸別線と、幹線と各住戸別線との接続部位にそれぞれ介装された複数台の分岐器とを有し、幹線および住戸別線は、通話装置と１台の住戸機との間で通話可能とする際に当該住戸機を指定する制御信号を伝送する制御線と、音声信号を伝送する信号線とで構成され、各分岐器は、信号線について通話装置側の幹線を送り側の幹線に接続する状態と通話装置側の幹線を住戸別線に接続する状態とを切り替える接点を備えたリレーをそれぞれ有し、通話装置は、所望の住戸機との間で音声信号を伝送可能とするように制御信号により住戸機に前記リレーの接点を切り替えさせ、且つ当該所望の住戸機に向けて信号線を通して所定の試験信号を送出する試験手段を有し、試験手段が試験信号を送出した後であって予め設定されている試験時間に当該所望の住戸機が試験信号を受信したか否かを検出し、試験信号を受信しなかった場合には当該所望の住戸機と通話装置との間の伝送線路を構成するリレーの接点に異常があることを通知する検出手段が設けられていることを特徴とする。
【０００９】
この構成によれば、通話装置は、所望の住戸機との間で音声信号を伝送可能とするように制御信号により住戸機に前記リレーの接点を切り替えさせ、且つ当該所望の住戸機に向けて信号線を通して所定の試験信号を送出する試験手段を有し、試験手段が試験信号を送出した後であって予め設定されている試験時間に当該所望の住戸機が試験信号を受信したか否かを検出し、試験信号を受信しなかった場合には当該所望の住戸機と通話装置との間の伝送線路を構成するリレーの接点に異常があることを通知する検出手段が設けられているので、リレーの接点に異常があることを検出できることとなる。しかも、接点異常があるリレーの範囲は、試験信号を受信できなかった住戸機と通話装置との間の伝送線路を構成するリレーに絞られるから、全てのリレーを確認することなく異常のあるリレーを特定することができる。したがって、リレーの接点に異常が発生した際には、インターホンシステムを早急に復旧させることが可能である。
【００１０】
請求項２の発明は、請求項１の発明において、前記幹線が複数系統設けられており、前記伝送線路が、当該複数系統の幹線と前記通話装置との間に、通話装置に接続する幹線を選択する経路切替器を有し、経路切替器が、各幹線の信号線について通話装置を接続する状態と接続しない状態とを切り替える接点を備えたリレーを有し、前記試験手段が、経路切替器のリレーについても、所望の前記住戸機との間で音声信号を伝送可能とするように住戸機に接点を切り替えさせ、前記検出手段が、試験手段が前記試験信号を送出した後であって予め設定されている試験時間に当該所望の住戸機が試験信号を受信したか否かを検出し、試験信号を受信しなかった場合には当該所望の住戸機と通話装置との間の伝送線路を構成する前記分岐器および経路切替器の少なくとも一方のリレーの接点に異常があることを通知することを特徴とする。
【００１１】
この構成によれば、分岐器のリレーだけでなく経路切替器のリレーについても、接点に異常があることを検出できることとなる。したがって、分岐器だけでなく経路切替器も含めてリレーの接点に異常が発生した際には、インターホンシステムを早急に復旧させることが可能である。
【００１２】
請求項３の発明では、音声の入出力が可能な通話装置と、通話装置に対してそれぞれ伝送線路を介して接続される複数台の住戸機とを備え、伝送線路は、通話装置に接続された幹線と、各住戸機にそれぞれ接続された住戸別線と、幹線と各住戸別線との接続部位にそれぞれ介装された複数台の分岐器とを有し、幹線および住戸別線は、通話装置と１台の住戸機との間で通話可能とする際に当該住戸機を指定する制御信号を伝送する制御線と、音声信号を伝送する信号線とで構成され、各分岐器は、信号線について通話装置側の幹線を送り側の幹線に接続する状態と通話装置側の幹線を住戸別線に接続する状態とを切り替える接点を備えたリレーをそれぞれ有し、通話装置は、所望の住戸機との間で音声信号を伝送可能とするように制御信号により前記リレーの接点を切り替え、且つ当該所望の住戸機に向けて信号線を通して所定の試験信号を送出する試験手段を有し、試験手段が試験信号を送出した後であって予め設定されている試験時間に当該所望の住戸機が試験信号を受信したか否かを検出し、試験信号を受信しなかった場合には当該所望の住戸機と通話装置との間の伝送線路を構成するリレーの接点に異常があることを通知する検出手段が設けられていることを特徴とする。
【００１３】
この構成によれば、通話装置は、所望の住戸機との間で音声信号を伝送可能とするように制御信号により前記リレーの接点を切り替え、且つ当該所望の住戸機に向けて信号線を通して所定の試験信号を送出する試験手段を有し、試験手段が試験信号を送出した後であって予め設定されている試験時間に当該所望の住戸機が試験信号を受信したか否かを検出し、試験信号を受信しなかった場合には当該所望の住戸機と通話装置との間の伝送線路を構成するリレーの接点に異常があることを通知する検出手段が設けられているので、リレーの接点に異常があることを検出できることとなる。しかも、接点異常があるリレーの範囲は、試験信号を受信できなかった住戸機と通話装置との間の伝送線路を構成するリレーに絞られるから、全てのリレーを確認することなく異常のあるリレーを特定することができる。したがって、リレーの接点に異常が発生した際には、インターホンシステムを早急に復旧させることが可能である。
【００１４】
請求項４の発明は、請求項３の発明において、前記幹線が複数系統設けられており、前記伝送線路が、当該複数系統の幹線と前記通話装置との間に、通話装置に接続する幹線を選択する経路切替器を有し、経路切替器が、各幹線の信号線について通話装置を接続する状態と接続しない状態とを切り替える接点を備えたリレーを有し、前記試験手段が、経路切替器のリレーについても、所望の前記住戸機との間で音声信号を伝送可能とするように制御信号により接点を切り替え、前記検出手段が、試験手段が前記試験信号を送出した後であって予め設定されている試験時間に当該所望の住戸機が試験信号を受信したか否かを検出し、試験信号を受信しなかった場合には当該所望の住戸機と通話装置との間の伝送線路を構成する前記分岐器および経路切替器の少なくとも一方のリレーの接点に異常があることを通知することを特徴とする。
【００１５】
この構成によれば、分岐器のリレーだけでなく経路切替器のリレーについても、接点に異常があることを検出できることとなる。したがって、分岐器だけでなく経路切替器も含めてリレーの接点に異常が発生した際には、インターホンシステムを早急に復旧させることが可能である。
【００１６】
請求項５の発明は、請求項１ないし請求項４のいずれかの発明において、前記住戸機は、少なくとも前記試験信号を受信した際に試験信号を受信したことを示す結果信号を前記通話装置に返信する結果返信手段を有することを特徴とする。
【００１７】
この構成によれば、住戸機が試験信号を受信したか否かを通話装置において検出できるので、通話装置が複数台の住戸機に対して試験信号を送信した場合に、これら複数台の住戸機について、それぞれが試験信号を受信したか否かを通話装置で一括して収集することができる。
【００１８】
請求項６の発明は、請求項５の発明において、前記結果返信手段は、前記結果信号として前記信号線を伝送される音声信号を用いることを特徴とする。
【００１９】
この構成によれば、通話時に用いられる音声信号を結果信号として用いるので、結果信号を生成する専用の装置を用いることなく、簡単な変更だけで結果返信手段としての機能を住戸機に付加することができる。
【００２０】
請求項７の発明は、請求項６の発明において、前記結果返信手段は、前記結果信号を前記住戸機ごとに予め割り当てられた周波数とし、前記通話装置は、受信した結果信号の周波数に基づいて当該結果信号を返信した住戸機を識別する返信元識別手段を有することを特徴とする。
【００２１】
この構成によれば、通話装置が周波数に基づいて結果信号を返信した住戸機を識別する返信元識別手段を有するので、複数台の住戸機から結果信号が一斉に返信されても、通話装置では、結果信号を周波数成分に分解することにより結果信号を返信した住戸機を識別することができる。このように通話装置が複数台の住戸機から結果信号を一斉に受けることにより、結果信号の送受信に要する時間を短縮することができる。
【００２２】
請求項８の発明は、請求項５の発明において、前記結果返信手段は、前記制御線を通して前記結果信号を返信することを特徴とする。
【００２３】
この構成によれば、結果信号の返信が制御線を通して行われるので、試験信号を受信できなかった住戸機からも結果信号の返信を行うことができ、通話装置では、受信した結果信号の内容に基づいてリレーの異常を検出することができる。したがって、住戸機が試験信号を受信したにもかかわらず通信エラーにより結果信号が返信されない場合には、再度結果信号を返信させることにより、誤ってリレーの異常と判断されることを回避できる。また、結果信号は信号線を通さないので結果信号について特別なプロトコルを用意する必要がないという利点もある。
【００２４】
請求項９の発明は、請求項５ないし請求項８のいずれかの発明において、前記通話装置は、受信した前記結果信号の内容を記憶する結果保持手段を有することを特徴とする。
【００２５】
この構成によれば、通話装置が結果信号の内容を記憶する結果保持手段を有するので、試験手段が複数台の住戸機に対して試験信号を送出した場合に、これら複数台の住戸機から返信された結果信号の内容を結果保持手段に記憶することにより、複数台の住戸機からの各々についての結果信号の内容をまとめて確認することができる。そして、複数台の住戸機の各々についての結果信号の内容を組み合わせれば、異常のあるリレーの範囲を絞り込むことができ、リレーの接点に異常が発生した際には、インターホンシステムをより早急に復旧させることが可能である。また、結果保持手段を用いれば結果信号が返信された後すぐに結果信号の内容を確認する必要はなく、たとえばインターホンシステムの稼働率の低い深夜に住戸機に対して試験信号を送出し、翌朝以降に結果信号の内容を確認することが可能となる。
【００２６】
請求項１０の発明は、請求項５ないし請求項９のいずれかの発明において、前記分岐器は、前記通話装置側の前記幹線と前記住戸別線との間に、前記リレーの前記接点と並列に接続され音声信号を通過させるバイパス手段を有し、前記試験手段は、音声信号を前記試験信号とすることによりバイパス手段を通して複数台の前記住戸機に試験信号を一斉送信する一斉試験モードと、バイパス手段を通過しない信号を試験信号とすることにより各住戸機に対して個別に試験信号を送信する個別試験モードとの２種類の試験モードを有し、前記通話装置は、一斉試験モードに関して受信した前記結果信号と、個別試験モードに関して受信した結果信号とを組み合わせて異常のあるリレーの範囲を絞り込む結果解析手段を有することを特徴とする。
【００２７】
この構成によれば、一斉試験モードにおいては、バイパス手段を通して複数台の住戸機に試験信号を一斉送信するので、試験信号の送受信に要する時間を短縮することができる。また、通話装置は、一斉試験モードに関して受信した結果信号と、個別試験モードに関して受信した結果信号とを組み合わせて異常のあるリレーの範囲を絞り込む結果解析手段を有するので、異常のあるリレーの範囲を絞り込むことができ、リレーの接点に異常が発生した際には、インターホンシステムをより早急に復旧させることが可能である。
【００２８】
請求項１１の発明は、請求項１ないし請求項１０のいずれかの発明において、前記通話装置は、前記住戸機との間で通話する際にカメラで撮像された映像の映像信号を当該住戸機に前記信号線を通して送信する映像信号出力手段を有し、前記試験手段は、信号線を伝送される映像信号と音声信号との少なくとも一方を前記試験信号として用いることを特徴とする。
【００２９】
この構成によれば、通話時に用いられる映像信号と音声信号との少なくとも一方を試験信号として用いるので、試験信号を生成する専用の装置を用いることなく、簡単な変更だけで試験手段としての機能を通話装置に付加することができる。
【００３０】
請求項１２の発明は、請求項１ないし請求項９のいずれかの発明において、前記分岐器は、前記通話装置側の前記幹線と前記住戸別線との間に、前記リレーの前記接点と並列に接続され音声信号を通過させるバイパス手段を有し、前記試験手段は、音声信号を前記試験信号とすることによりバイパス手段を通して複数台の前記住戸機に試験信号を一斉送信することを特徴とする。
【００３１】
この構成によれば、バイパス手段を通して複数台の住戸機に試験信号を一斉送信するので、試験信号の送受信に要する時間を短縮することができる。
【００３２】
請求項１３の発明は、請求項１ないし請求項９のいずれかの発明において、前記試験手段は、前記試験信号として前記信号線を伝送される音声信号を用いることを特徴とする。
【００３３】
この構成によれば、通話時に用いられる音声信号を試験信号として用いるので、試験信号を生成する専用の装置を用いることなく、簡単な変更だけで試験手段としての機能を通話装置に付加することができる。
【発明の効果】
【００３４】
本発明は、通話装置が、所望の住戸機との間で音声信号を伝送可能とするように制御信号により住戸機に前記リレーの接点を切り替えさせ、且つ当該所望の住戸機に向けて信号線を通して所定の試験信号を送出する試験手段を有し、試験手段が試験信号を送出した後であって予め設定されている試験時間に当該所望の住戸機が試験信号を受信したか否かを検出し、試験信号を受信しなかった場合には当該所望の住戸機と通話装置との間の伝送線路を構成するリレーの接点に異常があることを通知する検出手段が設けられているので、リレーの接点に異常があることを検出できることとなる。しかも、接点異常があるリレーの範囲は、試験信号を受信できなかった住戸機と通話装置との間の伝送線路を構成するリレーに絞られるから、全てのリレーを確認することなく異常のあるリレーを特定することができる。したがって、リレーの接点に異常が発生した際には、インターホンシステムを早急に復旧させることが可能であるという利点がある。
【発明を実施するための最良の形態】
【００３５】
（実施形態１）
本実施形態の集合住宅用インターホンシステム（以下、インターホンシステムと略称する）は、マンションなどの集合住宅において、共用玄関や管理人室等に設置される通話装置と、各住戸にそれぞれ設置される複数台の住戸機を備え、両者間で通話可能に構成される。
【００３６】
通話装置１と各住戸機Ａとの間の伝送線路は、図１に示すように、通話装置１に接続された幹線Ｌと、各住戸機Ａにそれぞれ接続された住戸別線Ｌｍと、幹線Ｌと住戸別線Ｌｍとの各接続部位に介装された複数台の分岐器Ｂとを有している。各分岐器Ｂは、図２に示すように、それぞれ入力端子Ｔ１と出力端子Ｔ２と分岐端子Ｔ３との３系統の端子を備えており、入力端子Ｔ１に通話装置１側の幹線Ｌが接続され且つ出力端子Ｔ２に送り側の幹線Ｌを介して他の分岐器Ｂの入力端子Ｔ１が接続されて、複数台の分岐器Ｂが多段接続されている。分岐端子Ｔ３には住戸別線Ｌｍを介して住戸機Ａが接続される。ここで、通話装置１との間に他の分岐器Ｂが介在しない分岐器Ｂを最前段とし、最後段の分岐器Ｂの出力端子Ｔ２には送り側の幹線Ｌを介して終端手段としての終端インピーダンスあるいは住戸機Ａが接続される。さらに本実施形態では、通話装置１に接続される幹線Ｌを複数系統（ここでは、第１の幹線Ｌ１と第２の幹線Ｌ２との２系統）設け、伝送線路は、これら複数系統の幹線Ｌ１、Ｌ２と通話装置１との間に、通話装置１を接続する幹線Ｌ１、Ｌ２を選択する経路切替器Ｓを有している。
【００３７】
以下では、第１の幹線Ｌ１上に設けられた分岐器Ｂを前段側から分岐器Ｂ１１，Ｂ１２，…と表記し、第２の幹線Ｌ２上に設けられた分岐器Ｂを前段側から分岐器Ｂ２１，Ｂ２２，…と表記し、各分岐器Ｂ１１，Ｂ１２，…、Ｂ２１，Ｂ２２，…に住戸別線Ｌｍを介して接続される住戸機Ａをそれぞれ住戸機Ａ１１，Ａ１２，…、Ａ２１，Ａ２２，…と表記する。また、第１の幹線Ｌ１と第２の幹線Ｌ１とを区別しない場合は幹線Ｌと表記し、分岐器Ｂ１１，Ｂ１２，…、Ｂ２１，Ｂ２２，…を区別しない場合は分岐器Ｂと表記し、住戸機Ａ１１，Ａ１２，…、Ａ２１，Ａ２２，…を区別しない場合は住戸機Ａと表記する。
【００３８】
通話装置１は、管理人室に設置される管理室インターホン２と、共用玄関に設置されるロビーインターホン３と、経路切替器Ｓに接続される幹線制御装置４とを有している。管理室インターホン２は、音声を入出力する手段として図示しないマイクロホンおよびスピーカを備え、幹線制御装置４に対して、音声信号を伝送する音声線Ｌａ、および通話対象となる住戸機Ａを指定するための制御信号を伝送する制御線Ｌｃにより接続されている。ロビーインターホン３は、音声を入出力する手段としての図示しないマイクロホンおよびスピーカと、来訪者を撮像するカメラ４０とを備え、管理室インターホン２を経由して音声線Ｌａおよび制御線Ｌｃにより幹線制御装置４に接続されている。さらに、ロビーインターホン３は、カメラ４０から出力される映像信号を周波数変調して出力する映像信号出力手段４１を有しており、周波数変調後の映像信号（ＦＭ映像信号）を伝送する映像線Ｌｂによって幹線制御装置４に直接接続される。
【００３９】
ここで、ロビーインターホン３から出力する映像信号は音声信号に比べて十分に高い周波数帯域を使用しており、幹線制御装置４は、ロビーインターホン３から音声線Ｌａを通して管理室インターホン２を経由し伝送される音声信号と、ロビーインターホン３から映像線Ｌｂを通して伝送される映像信号とを多重化する機能を有する。さらに、ここでは図示しないが、通話装置１に接続される伝送線路は複数系統設けられている。なお、幹線制御装置４は、接続対象となる伝送線路に応じて、１乃至複数台の経路切替器Ｓ（図１では１台のみ図示）のうち１台を択一的に選択し切り替える機能を有する。
【００４０】
詳しくは後述するが、本実施形態のインターホンシステムでは、ロビーインターホン３とロビーインターホン３で選択された１台の住戸機Ａとの間での通話のほか、管理室インターホン２から全ての住戸機Ａに対して非難誘導などの音声を一斉に放送することが可能である。
【００４１】
幹線Ｌおよび住戸別線Ｌｍは、制御信号を伝送する制御線Ｌｃと、音声信号を伝送する信号線Ｌｄとを含み、分岐器Ｂおよび経路切替器Ｓは信号線Ｌｄについてのみ開閉可能に介装されている。ロビーインターホン３と住戸機Ａとの間で通話する際には、信号線Ｌｄは多重化された音声信号と映像信号とを伝送する。しかして、ロビーインターホン３と住戸機Ａとの間での通話時には、幹線制御装置４と住戸機Ａとの間で信号線Ｌｄを通して多重化された音声信号および映像信号が伝送されることとなり、管理室インターホン２と住戸機Ａとの間での通話時には、幹線制御装置４と住戸機Ａとの間で信号線Ｌｄを通して音声信号のみが伝送されることとなる。
【００４２】
以下に各住戸機Ａの構成について図１を参照して説明する。なお、複数台の住戸機Ａは全て同じ構成を採用しているので、以下では１台の住戸機Ａ１２について説明する。
【００４３】
住戸機Ａは、音声を入出力する手段としてマイクロホン５およびスピーカ６がそれぞれ増幅器７，８を介して接続された音声回路９を備えている。音声回路９は、２線の信号線Ｌｄからの音声信号と２個の増幅器７，８の入力線および出力線とを２線４線変換する機能を備え、信号線Ｌｄからの音声信号をスピーカ６側の増幅器８に出力し、マイクロホン５側の増幅器７からの音声信号を信号線Ｌｄに送出する。
【００４４】
ここで、信号線Ｌｄには上述のように音声信号と映像信号とが多重化されて伝送されるから、住戸機Ａには、音声回路９と信号線Ｌｄとの間に挿入されるローパスフィルタ１０と、後述のモニタ１４と信号線Ｌｄとの間に挿入されるハイパスフィルタ１２とで構成される多重分離回路１３が設けられる。本実施形態では、ローパスフィルタ１０には、音声信号に対して低インピーダンスであって映像信号に対して高インピーダンスのインダクタを用い、ハイパスフィルタ１１には音声信号に対して高インピーダンスであって映像信号に対して低インピーダンスのコンデンサを用いている。なお、同様の多重分離回路１３は幹線制御装置４にも設けられる。
【００４５】
住戸機Ａは、信号線Ｌｄに対して多重分離回路１３と平衡−不平衡変換のための結合トランス１１と増幅器１４と映像信号を周波数復調するＦＭ復調部１５とを介して接続されるモニタ１６を有している。これにより、ロビーインターホン３で撮像された映像を、住戸機Ａのモニタ１６に表示することができる。
【００４６】
ローパスフィルタ１０と音声回路９との間においては、信号線Ｌｄの線間に直流電圧を印加可能な幹線電源重畳回路１７が設けられており、この直流電圧が音声回路９に印加されないように、幹線電源重畳回路１７と音声回路９との間に、直流電圧をカットする一対のコンデンサ１８および音声信号を通過させる結合トランス１９が挿入されている。幹線電源重畳回路１７は、後述するリレーの接点を切り替える際に直流電圧を出力するものである。
【００４７】
また、インタフェースとしての制御信号送受信回路２０を介して制御線Ｌｃに接続されるＣＰＵ２１が設けられており、住戸機Ａの内部回路はこのＣＰＵ２１によって制御される。制御信号送受信回路２０は、ＣＰＵ２１からの制御信号を制御線Ｌｃに送出するとともに、制御線Ｌｃを通して受信した制御信号をＣＰＵ２１に出力する機能を有する。ＣＰＵ２１を含む住戸機Ａの内部回路の電源は、商用電源に接続された電源回路２２から供給される。
【００４８】
さらにまた、本実施形態のインターホンシステムでは、個々の住戸の玄関扉前にそれぞれ設置された複数台のドアホン子器Ｃが設けられている。そして、住戸機Ａは、ドアホン子器Ｃに接続された子器接続線Ｌｅに対し、子器インタフェース回路２３を介して音声回路９が接続され、ドアホン子器Ｃとの間でも通話可能に構成される。ここで、住戸機Ａには子器接続線Ｌｅに対し子器電源重畳回路２４を介して接続された子器電源部２５が設けられており、ドアホン子器Ｃの電源は子器電源部２５から子器接続線Ｌｅを介して提供される。なお、ドアホン子器Ｃには図示しない呼出釦が設けられており、子器インタフェース回路２３は、ドアホン子器Ｃで呼出釦が押操作されたときに、呼出音を音声回路９に入力してスピーカ６から呼出音を出力させる機能を有する。
【００４９】
ところで、制御線Ｌｃに関しては、分岐器Ｂ内で幹線Ｌと住戸別線Ｌｍとが直結され、且つ経路切替器Ｓ内で通話装置１（幹線制御装置４）と全ての幹線Ｌ１，Ｌ２とが直結されている。そのため、管理室インターホン２から幹線制御装置４に送出される制御信号は、全ての住戸機Ａに伝送されることとなる。ここにおいて、ロビーインターホン３には、住戸機Ａを識別する識別子（たとえばこの住戸機Ａが設置される住戸の住戸番号）を入力するための番号キーと呼出釦とを備えた操作手段３３が設けられており、番号キーで識別子を入力した後に呼出釦を押操作すると、当該識別子に対応する住戸機Ａが選択されたこととなる。管理室インターホン２は、操作手段３３で選択された識別子が制御線Ｌｃを通して伝送されると、当該識別子に対応する住戸機Ａに固有のアドレス（たとえば住戸番号）を含む制御信号を生成し、幹線制御装置４を通して伝送線路の制御線Ｌｃに当該制御信号を送出するように構成される。
【００５０】
自己のアドレスを含む制御信号を受信した住戸機ＡのＣＰＵ２１は、信号線Ｌｄと多重分離回路１３との間に挿入されている住戸機リレーの接点２６を閉成することにより音声回路９と信号線Ｌｄとの間の通信路を確立するとともに、ＦＭ復調部１５やモニタ１６を起動することによりロビーインターホン３のカメラ４０で撮像された映像を表示可能とし、且つ音声回路９に対して呼出音を伝送することによりスピーカ６から呼出音を出力させる。さらに、上述の幹線電源重畳回路１７を駆動することにより、住戸別線Ｌｍの信号線Ｌｄ間に直流電圧を印加する。
【００５１】
一方、経路切替器Ｓは、信号線Ｌｄについて通話装置１と各幹線Ｌ１，Ｌ２との間に挿入され、各幹線Ｌ１，Ｌ２の信号線Ｌｄに通話装置１を接続する状態と接続しない状態とで択一的に切り替えられる接点２７Ａ，２７Ｂをそれぞれ備えた２個のリレー（以下、「経路切替リレー」という）を有する。経路切替リレーは、通話装置１に接続された共通接点２７ａを、一方の幹線Ｌ１，Ｌ２に接続された常開接点２７ｃと、常開接点２７ｃとは異なる幹線Ｌ１，Ｌ２に直流カット用のコンデンサ２８を介して接続された常閉接点２７ｂとのいずれかに接続するものであって、後述の駆動部２９Ａ，２９Ｂに直流電圧が印加されていない状態では共通接点２７ａと常閉接点２７ｂとを接続し、駆動部２９Ａ，２９Ｂに直流電圧が印加されている状態では共通接点２７ａと常開接点２７ｃとを接続する。この構成により、経路切替リレーの駆動部２９Ａ，２９Ｂに直流電圧を印加するか否かによって、通話装置１を各幹線Ｌ１，Ｌ２に接続するか否かを切り替えることができる。なお、コンデンサ２８は音声信号に対しては低インピーダンスとなるように設計されている。
【００５２】
ここで、いずれの経路切替リレーの駆動部２９Ａ，２９Ｂにも直流電圧が印加されていないときには、通話装置１に対して、第１の幹線Ｌ１がコンデンサ２８および経路切替リレーの接点２７Ｂを介して接続されるとともに、第２の幹線Ｌ２がコンデンサ２８および経路切替リレーの接点２７Ａを介して接続される。また、一方の経路切替リレーの駆動部２９Ａにのみ直流電圧が印加されているときには、通話装置１に対して第１の幹線Ｌ１が経路切替リレーの接点２７Ａを介して接続され、第２の幹線Ｌ２は通話装置１から切り離される。他方の経路切替リレーの駆動部２９Ｂにのみ直流電圧が印加されているときには、通話装置１に対して第２の幹線Ｌ２が経路切替リレーの接点２７Ｂを介して接続され、第１の幹線Ｌ１は通話装置１から切り離される。
【００５３】
なお、経路切替リレーの駆動部２９Ａ，２９Ｂは、映像信号の通過を阻止する一対のインダクタ２９ａと、交流入力端がインダクタ２９ａを介して幹線Ｌの信号線Ｌｄに接続されたダイオードブリッジ２９ｂと、音声信号に対して高インピーダンスであってダイオードブリッジ２９ｂの直流出力端間に接続され直流電圧を定電圧化し、図示しない経路切替リレーの励磁コイルに印加して励磁電流を流す駆動回路２９ｃとを備えている。
【００５４】
一方、分岐器Ｂは、図２に示すように、信号線Ｌｄについて各幹線Ｌ１，Ｌ２と各住戸別線Ｌｍとの分岐点にそれぞれ挿入され、通話装置１側の幹線Ｌの信号線Ｌｄを送り側の幹線Ｌの信号線Ｌｄに接続する状態と、通話装置１側の幹線Ｌの信号線Ｌｄを住戸別線Ｌｍの信号線Ｌｄに接続する状態とで択一的に切り替えられる接点３０を備えたリレー（以下、「分岐リレー」という）を有する。ここで、複数台の分岐器Ｂは多段接続されているので、通話装置１側の幹線Ｌとは前段側の分岐器Ｂ（最前段の分岐器Ｂにおいては経路切替器Ｓ）に接続された幹線Ｌを意味し、送り側の幹線Ｌとは後段側の分岐器Ｂ（最後段の分岐器Ｂにおいては終端設備）に接続された幹線Ｌを意味する。分岐リレーは、通話装置１側の幹線Ｌに接続された共通接点３０ａ（入力端子Ｔ１に対応）を、送り側の幹線Ｌに接続された常閉接点３０ｂ（出力端子Ｔ２に対応）と、住戸別線Ｔｍに接続された常開接点３０ｃ（分岐端子Ｔ３に対応）とのいずれかに接続するものであって、後述する駆動部３１に直流電圧が印加されていない状態では共通接点３０ａと常閉接点３０ｂとを接続し、駆動部３１に直流電圧が印加されている状態では共通接点３０ａと常開接点３０ｃとを接続する。この構成により、分岐リレーの駆動部３１に直流電圧を印加するか否かによって、住戸別線Ｌｍを通話装置１側の幹線Ｌに接続するか否かを切り替えることができる。
【００５５】
また、本実施形態の分岐器Ｂは、一対の共通接点３０ａと一対の常閉接点３０ｂとの間を接点３０とは別に音声信号についてのみ常時接続するバイパス回路３２（バイパス手段）を有している。バイパス回路３２は、音声信号に対して低インピーダンスであって映像信号に対して高インピーダンスである一対のインダクタ３２ａと、音声信号に対して低インピーダンスであって直流をカットする一対のコンデンサ３２ｂとの直列回路からなる。
【００５６】
なお、分岐リレーの駆動部３１は、映像信号に対して高インピーダンスである一対のインダクタ３１ａと、交流入力端がインダクタ３１ａを介して住戸別線Ｌｍの信号線Ｌｄに接続されたダイオードブリッジ３１ｂと、音声信号に対して高インピーダンスであってダイオードブリッジ３１ｂの直流出力端間に接続され直流電圧を定電圧化し、図示しない分岐リレーの励磁コイルに印加して励磁電流を流す駆動回路３１ｃとを備えている。
【００５７】
次に、上述した構成のインターホンシステムにおいて、ロビーインターホン３とロビーインターホン３で選択された１台の住戸機Ａとの間で通話する個別通話の際の正常な動作について説明する。
【００５８】
ロビーインターホン３で１台の住戸機Ａが選択されると、当該住戸機Ａのアドレスを含む制御信号が幹線制御装置４から制御線Ｌｃに送出される。該当する住戸機ＡのＣＰＵ２１が制御信号を受けることにより、上述のように住戸機リレーの接点２６が閉成されるとともに、幹線電源重畳回路１７によって住戸別線Ｌｍの信号線Ｌｄに直流電圧が印加される。この住戸機Ａに接続されている分岐器Ｂにおいては、信号線Ｌｄに印加された直流電圧を受けて分岐リレーの接点３０が切り替わり、通話装置１側の幹線Ｌと住戸別線Ｌｍとを接続する。通話装置１側の幹線Ｌと住戸別線Ｌｍとが接続されると、住戸別線Ｌｍの信号線Ｌｍに印加された前記直流電圧が幹線Ｌの信号線Ｌｄに印加されることになるので、経路切替器Ｓにおいては、信号線Ｌｄに印加された直流電圧を受けて経路切替リレーの接点２７Ａ，２７Ｂが切り替わり、前記住戸機Ａ側の幹線Ｌと通話装置１とを接続する。これにより、ロビーインターホン３と前記住戸機Ａとの間の伝送線路（信号線Ｌｄ）が確立され、住戸機Ａのモニタ１６にロビーインターホン３のカメラ４０で撮像された画像が表示される。さらに、住戸機Ａに設けられた通話釦（図示せず）が住戸機Ａの呼出音に応じて押操作されると、住戸機Ａの音声回路９が動作しロビーインターホン３と住戸機Ａとの間で通話可能な状態となる。
【００５９】
このときロビーインターホン３で選択されなかった住戸機Ａでは、住戸機リレーの接点２６が閉成されておらず、また幹線電源重畳回路１７も動作しないから、これらの住戸機Ａに住戸別線Ｌｍで接続された分岐器Ｂにおいては共通接点３０ａと常閉接点３０ｂとが接続された状態にある。さらに、ロビーインターホン３で選択されなかった住戸機Ａのみが接続されている幹線Ｌには直流電圧が印加されないから、経路切替器Ｓにおいては、共通接点２７ａと常閉接点２７ｂとが接続された状態にある。
【００６０】
なお、住戸機ＡのＣＰＵ２１は、制御信号を受信後、予め設定されている通話時間が経過するか、もしくは通話可能な状態で住戸機Ａの通話釦が再度押操作されると、住戸機リレーの接点２６を開放するとともに音声回路９を停止させ、且つ幹線電源重畳回路１７を停止させることによって個別通話を終了するように構成されている。
【００６１】
次に、上述した構成のインターホンシステムにおいて、管理室インターホン２から全ての住戸機Ａに対して音声を一斉に放送する一斉放送の際の正常な動作について説明する。なお、本実施形態では全ての住戸機Ａを一斉放送の対象としているが、一斉放送の対象とする住戸機Ａを限定してもよい。
【００６２】
管理室インターホン２に設けられた操作手段３４で特定の操作がなされると、管理室インターホン２からは一斉放送を開始する旨の制御信号（一斉放送開始コマンド）が制御線Ｌｃに送出される。これにより、全ての住戸機Ａが通話の対象として指定されたこととなる。住戸機ＡのＣＰＵ２１が、一斉放送開始コマンドとしての制御信号を受けると、住戸機リレーの接点２６を閉成することにより、音声回路９を住戸別線Ｌｍの信号線Ｌｄに接続する。さらに、ＣＰＵ２１は通話釦の押操作を待つことなく音声回路を動作させる。
【００６３】
ただし、このときＣＰＵ２１が幹線電源重畳回路１７を動作させることはない。そのため、全ての分岐器Ｂにおいて共通接点３０ａと常閉接点３０ｂとが接続された状態にあり、さらに経路切替器Ｓにおいても共通接点２７ａと常閉接点２７ｂとが接続された状態にある。これにより、管理室インターホン２と全ての住戸機Ａは、分岐器Ｂ内のバイパス回路３２と経路切替器Ｓ内のコンデンサ２８とを介して、音声信号についてのみ接続された状態となり、管理室インターホン２から全ての住戸機Ａに対して音声信号を伝送可能な状態となる。
【００６４】
なお、一斉放送を終了するときには、管理室インターホン２の操作手段３４を操作し、管理室インターホン２から一斉放送を終了する旨の制御信号（一斉放送終了コマンド）を全ての住戸機Ａに伝送する。この制御信号を受けた住戸機ＡのＣＰＵ２１は、住戸機リレーの接点２６を開放するとともに、音声回路９を停止させる。
【００６５】
ところで、上述した個別通話や一斉放送の動作は、インターホンシステムが正常な場合の動作であるが、過負荷や短絡電流などにより、分岐器Ｂ内の分岐リレーの接点３０や経路切替器Ｓ内の経路切替リレーの接点２７Ａ，２７Ｂに接点溶着等の異常が生じた場合には、個別通話や一斉放送に以下のような異常が発生する。
【００６６】
すなわち、１台の分岐器Ｂの分岐リレーの接点３０が共通接点３０ａを常閉接点３０ｂに接続した状態で溶着している場合には、この分岐器Ｂに住戸別線Ｌｍにより接続された住戸機Ａを対象とする個別通話を行うことができない。また、１台の分岐器Ｂの分岐リレーの接点３０が共通接点３０ａを常開接点３０ｃに接続した状態で溶着している場合には、この分岐器Ｂよりも後段の分岐器Ｂに住戸別線Ｌｍにより接続された住戸機Ａのいずれに対しても、個別通話を行うことができず且つ一斉放送を行うこともできない。
【００６７】
経路切替器Ｓの経路切替リレーの接点２７Ａ，２７Ｂが共通接点２７ａを常閉接点２７ｂに接続した状態で溶着している場合には、常開接点２７ｃ側の幹線Ｌに接続された住戸機Ａのいずれにおいても個別通話時に音声信号のみしか伝送できないこととなる。また、経路切替器Ｓの経路切替リレー２７Ａ，２７Ｂが共通接点２７ａを常開接点２７ｃに接続した状態で溶着している場合には、常閉接点２７ｂ側の幹線Ｌに接続された住戸機Ａのいずれに対しても、個別通話を行うことができず且つ一斉放送を行うこともできない。
【００６８】
そのため、分岐器Ｂや経路切替器Ｓのリレーの接点に溶着等の異常が生じた場合には、早期に当該異常を検出し、該当するリレーを交換・修理することにより、インターホンシステムを復旧させることが望ましい。そこで、本実施形態では、以下に説明するようにリレーの異常を検出するための試験を行う構成を採用している。
【００６９】
すなわち、通話装置１を構成するロビーインターホン３は、操作手段３３において特定の操作（たとえば特定のコマンド入力）が行われると、所望の住戸機Ａとの間で音声信号を伝送可能とするために試験開始を知らせる制御信号（試験開始コマンド）を管理室インターホン２から当該所望の住戸機Ａに制御線Ｌｃを通して伝送させ、且つ当該所望の住戸機Ａに向けて信号線Ｌｄを介して所定の試験信号を送出する機能を試験手段３５として有している。
【００７０】
本実施形態のインターホンシステムでは、ロビーインターホン３は、個別通話時と同じ経路を利用して各住戸機Ａに対して個別に試験信号を送信する個別試験モードで試験を行う。ここで、試験開始コマンドとしての制御信号を受信した住戸機ＡのＣＰＵ２１は、住戸機リレーの接点２６を閉成するとともに、幹線電源重畳回路１７によって住戸別線Ｌｍの信号線Ｌｄに直流電圧を印加する。したがって、分岐器Ｂおよび経路切替器Ｓが全て正常であれば、上述したようにこの住戸機Ａとロビーインターホン３との間で信号線Ｌｃによる通話路が確立することとなる。ただし、本実施形態では、分岐器Ｂ内のバイパス回路３２および経路切替器Ｓ内のコンデンサ２８を通して試験信号が伝送されてしまうことがないように、試験信号としては映像信号を採用する。
【００７１】
また、本実施形態の住戸機ＡのＣＰＵ２１は、試験開始コマンドとしての制御信号を受信後、予め設定されている試験時間が経過すると、住戸機リレーの接点２６を開放するとともに幹線電源重畳回路１７の動作を停止させることにより、個別試験モードの動作を終了するように構成されている。ただし、試験終了を知らせる制御信号（試験終了コマンド）が管理室インターホン２から住戸機Ａに伝送されると、試験を終了する構成であってもよい。
【００７２】
なお、ここでは、住戸機Ａは試験開始コマンドとしての制御信号を受信しても、個別通話時のようにＦＭ復調部１５やモニタ１６を起動させることはなく、且つスピーカ６から呼出音を出力させることもない構成とする。
【００７３】
次に、本実施形態のインターホンシステムにおいて、１台の住戸機Ａ１２に対して個別試験モードで試験を行い、分岐リレーや経路切替リレーの接点の異常を検出する例を説明する。
【００７４】
ロビーインターホン３の操作手段３３で特定の操作を行うと、管理室インターホン２は、住戸機Ａ１２に対して試験開始コマンドとなる制御信号を送信する。住戸機Ａ１２はこの制御信号を受信することで、これから試験が開始されることを認識する。その後、ロビーインターホン３は住戸機Ａ１２に対し、個別試験モードにて、試験信号としての映像信号を信号線Ｌｄを通して伝送する。
【００７５】
ここで、過負荷や短絡電流などにより、分岐器Ｂ１２の分岐リレーの接点３０が共通接点３０ａを常閉接点３０ｂに接続した状態で溶着している場合には、分岐器Ｂ１２の分岐端子Ｔ３側に試験信号は伝送されないため、試験信号は住戸機Ａ１２に伝送されない。
【００７６】
また、分岐器Ｂ１１の分岐リレーの接点３０が共通接点３０ａを常開接点３０ｃに接続した状態で溶着している場合にも、分岐器Ｂ１１の出力端子Ｔ２側には試験信号が伝送されないので、試験信号は住戸機Ａ１２に伝送されない。
【００７７】
さらにまた、経路切替器Ｓの経路切替リレーの接点２７Ａが第２の幹線Ｌ２側で溶着している場合にも、試験信号は住戸機Ａ１２に伝送されない。
【００７８】
以上のことから、住戸機Ａ１２が試験開始コマンドとしての制御信号を受信後に試験信号を受信しなかった場合には、ロビーインターホン３と住戸機Ａ１２との間のリレー接点（分岐器Ｂ１１，Ｂ１２の分岐リレーの接点３０、経路切替器Ｓの経路切替リレーの接点２７Ａ，２７Ｂ）の少なくとも１つに異常が発生しているものと判断できる。
【００７９】
このように住戸機Ａが試験信号を受信したか否かを検出し、受信しなかった場合にリレーの接点に異常がある旨を通知する検出手段としての機能は、本実施形態では各住戸機Ａにそれぞれ設けられている。
【００８０】
すなわち、住戸機ＡのＣＰＵ２１は、試験開始コマンドとしての制御信号を受信してから上記試験時間内に試験信号を受信するか否かを検出し、試験信号を受信すれば正常、試験信号を受信しなければ異常とするように、試験結果（正常・異常）をモニタ１６に表示させる機能が付与されている。スピーカ６からの音で試験結果を通知する構成であってもよい。また、試験結果を記憶する記憶手段を住戸機Ａに設け、任意のタイミングで試験結果をモニタ１６の表示や音で確認できるようにしてもよい。
【００８１】
なお、住戸機Ａは、試験結果が異常であった場合にのみ試験結果を通知する構成であってもよく、さらにまた、公衆回線等を介してマンションの管理会社など所定の連絡先に、リレーに異常がある旨を自動的に通報する通報機能を有した構成としてもよい。
【００８２】
本実施形態では、ロビーインターホン３の操作手段３３で特定の操作を行うことによって、試験を開始する構成を採用しているが、管理室インターホン２に設けた操作手段３４で特定の操作を行うことによって、試験を開始する構成を採用してもよい。また、試験開始コマンドとしての制御信号や試験信号を送出する機能は、通話装置１のいずれの構成要素（ロビーインターホン３、管理室インターホン２、幹線制御装置４）に備えていてもよい。
【００８３】
なお、本実施形態では、住戸機Ａから信号線Ｌｄに印加される直流電圧によってリレーの接点が切り替わる分岐器Ｂおよび経路切替器Ｓを採用し、各リレーの接点を住戸機Ａに切り替えさせる例を示したが、制御信号を解読可能なマイコン（マイクロコンピュータ）を分岐器Ｂおよび経路切替器Ｓにそれぞれ付加し、当該マイコンが通話装置１からの制御信号を受けて各リレーの接点を切り替える構成としてもよい。
【００８４】
（実施形態２）
本実施形態のインターホンシステムは、住戸機Ａが試験信号を受信したか否かを検出し、受信しなかった場合にはリレーの接点に異常がある旨を通知する検出手段３６としての機能が、図１のように管理室インターホン２に設けられている点で実施形態１のインターホンシステムと相違する。
【００８５】
本実施形態では、住戸機ＡのＣＰＵ２１に、上述の試験結果を示す制御信号（結果信号）を通話装置１に返信する結果返信手段としての機能を付与し、管理室インターホン２が受信した試験結果に基づいて異常の有無を通知する構成とする。ここにおいて、住戸機Ａが、試験信号を受信した場合のみ制御信号を返信するように構成されていてもよく、この場合には管理室インターホン２が、試験開始コマンドとしての制御信号の送出後に結果信号としての制御信号を受信するか否かによって、試験結果（正常・異常）を判断して通知する。
【００８６】
すなわち、管理室インターホン２は、住戸機Ａで試験信号が受信されれば正常、試験信号が受信されなければ異常とするように、試験結果（正常・異常）をモニタ（不図示）に表示させる機能が付与されている。試験結果を音でスピーカから通知する構成であってもよい。また、管理室インターホン２は、試験結果が異常であった場合にのみ試験結果を通知する構成であってもよく、さらにまた、公衆回線等を介してマンションの管理会社など所定の連絡先に、リレーに異常がある旨を自動的に通報する通報機能を有した構成としてもよい。
【００８７】
ところで、複数台の住戸機Ａについて個別試験モードでの試験を行えば、異常が発生しているリレーの候補を絞り込むことができる。そこで、本実施形態では、管理室インターホン２に、図３〜５に示すように複数台の住戸機Ａの各々についての試験結果の内容を記憶する結果保持手段３７を設け、複数台の住戸機Ａについての試験結果をまとめて確認できるようにしてある。また、結果保持手段３７を用いれば試験後すぐに試験結果を確認する必要はなく、たとえばインターホンシステムの稼働率の低い深夜に住戸機Ａに対して試験信号を送出し、翌朝以降に試験結果を確認するなど、効率的に試験を行うことができる。
【００８８】
以下に、個別試験モードで試験を行った際に、複数台の住戸機Ａについての試験結果から異常が発生しているリレーの候補を絞り込む例を、図３〜５を参照して説明する。ここでは、全ての住戸機Ａについて個別試験モードでの試験を行い、全ての住戸機Ａについての試験結果が得られているものとする。
【００８９】
得られた試験結果が、図３に示すように、住戸機Ａ１４〜Ａ１６についてのみ異常（図中「×」で表す）となった場合には、リレーの異常の可能性として以下の２候補に絞られる。すなわち、分岐器Ｂ１３の分岐リレーの接点３０が共通接点３０ａを常開接点３０ｃに接続した状態で溶着しているか、あるいは分岐器Ｂ１４〜Ｂ１６の全ての分岐リレーの接点３０が共通接点３０ａを常閉接点３０ｂに接続した状態で溶着しているかのいずれかである。
【００９０】
一方、得られた試験結果が、図４に示すように、住戸機Ａ１４についてのみ異常（図中「×」で表す）となった場合には、分岐器Ｂ１４の分岐リレーの接点３０が共通接点３０ａを常閉接点３０ｂに接続した状態で溶着しているものと判断できる。
【００９１】
また、得られた試験結果が、図５に示すように、第１の幹線Ｌ１側の全ての住戸機Ａ１１〜Ａ１６について異常（図中「×」で表す）となった場合には、リレーの異常の可能性として以下の２候補に絞られる。すなわち、経路切替器Ｓの経路切替リレーの接点２７Ａが共通接点２７ａを常閉接点２７ｂに接続した状態で溶着しているか、あるいは分岐器Ｂ１１〜Ｂ１６の全ての分岐リレーの接点３０が共通接点３０ａを常閉接点３０ｂに接続した状態で溶着しているかのいずれかである。
【００９２】
上述したように、管理室インターホン２で一元管理される試験結果を組み合わせることにより、異常が発生しているリレーの候補の絞り込みが可能となる。
【００９３】
なお、本実施形態では検出手段３６や結果保持手段３７が管理室インターホン２に設けられている例を示したが、これらはロビーインターホン３に設けられていてもよく、この場合にはロビーインターホン３に設けたモニタに試験結果を表示したり、ロビーインターホン３のスピーカから試験結果を音で通知したりすることが考えられる。その他の構成および機能は実施形態１と同様である。
【００９４】
（実施形態３）
本実施形態のインターホンシステムは、一斉放送時と同じ経路を利用して（つまり分岐器Ｂ内のバイパス回路３２および経路切替器Ｓ内のコンデンサ２８を通して）全ての住戸機Ａに試験信号を一斉送信する一斉試験モードで試験を行う点が、実施形態２のインターホンシステムとは相違する。一斉試験モードでは一斉放送の場合と同様に、対象とする住戸機Ａを限定してもよい。
【００９５】
本実施形態では、試験開始コマンドとしての制御信号を受信した住戸機ＡのＣＰＵ２１は、住戸機リレーの接点２６を閉成する。したがって、分岐器Ｂおよび経路切替器Ｓが全て正常であれば、上述したようにこれら全ての住戸機Ａとロビーインターホン３とは、分岐器Ｂ内のバイパス回路３２および経路切替器Ｓ内のコンデンサ２８を介して、音声信号についてのみ接続された状態となり、ロビーインターホン３から全ての住戸機Ａに対して音声信号を伝送可能な状態となる。ここにおいて、分岐器Ｂ内のバイパス回路３２および経路切替器Ｓ内のコンデンサ２８を通して試験信号が伝送されるように、試験信号としては音声信号を採用する。
【００９６】
なお、ここでは、住戸機Ａは試験開始コマンドとしての制御信号を受信しても、一斉通話時のように音声回路９を起動させることはない構成とする。
【００９７】
また、一斉試験モードでは、全ての住戸機Ａからの結果信号が一斉に返信されることになるので、管理室インターホン２において、受信した結果信号の送信元である住戸機Ａを識別できるように、住戸機Ａは、アドレスごとに異なる周波数が割り当てられた音声信号を結果信号として管理室インターホン２に返信するように構成される。住戸機Ａは、試験信号を受信した場合には前記結果信号を返信し、試験信号を受信しなかった場合には結果信号の返信を行わない構成とする。つまり、管理室インターホン２では、受信した結果信号をフーリエ変換等を用いて周波数成分に分解し、結果信号の返信があった住戸機Ａを判別する返信元識別手段３８により試験信号を受信した住戸機Ａの判別を行い、試験結果を得る。
【００９８】
本実施形態の住戸機ＡのＣＰＵ２１は、試験開始コマンドとしての制御信号を受信後、予め設定されている試験時間が経過すると、住戸機リレーの接点２６を開放することにより、一斉試験モードの動作を終了するように構成されている。ただし、試験終了を知らせる制御信号（試験終了コマンド）が管理室インターホン２から住戸機Ａに伝送されると、試験を終了する構成であってもよい。
【００９９】
次に、本実施形態のインターホンシステムにおいて分岐リレーや経路切替リレーの接点の異常を検出する例を説明する。
【０１００】
ロビーインターホン３の操作手段３３で特定の操作を行うと、管理室インターホン２は、全ての住戸機Ａに対して試験開始コマンドとなる制御信号を一斉に送信する。各住戸機Ａはこの制御信号を受信することで、これから試験が開始されることを認識する。その後、ロビーインターホン３は全ての住戸機Ａに対し、一斉試験モードにて、試験信号としての音声信号を信号線Ｌｄを通して伝送する。
【０１０１】
ここで、住戸機Ａが信号線Ｌｄに直流電圧を印加することはなく、そのため分岐器Ｂの分岐リレーの接点３０および経路切替器Ｓの経路切替リレーの接点２７Ａ，２７Ｂの切替は行われないものの、分岐器Ｂ内のバイパス回路３２および経路切替器Ｓ内のコンデンサ２８を通して音声信号の伝送は可能であるから、全ての分岐リレーおよび経路切替リレーの接点が正常であれば、試験信号は全ての住戸機Ａに伝送される。
【０１０２】
一方、過負荷や短絡電流などにより、分岐器Ｂの分岐リレーの接点３０が共通接点３０ａを常開接点３０ｃに接続した状態で溶着している場合や、経路切替器Ｓの片方の経路切替リレーの接点２７Ａ，２７Ｂが共通接点２７ａを常開接点２７ｃに接続した状態で溶着している場合には、一部の住戸機Ａに試験信号が伝送されないことがある。
【０１０３】
そして、管理室インターホン２は、試験信号が伝送された住戸機Ａからのみ返信される結果信号を受けて、試験結果情報を収集する。
【０１０４】
以下に、一斉試験モードで試験を行った際に、全ての住戸機Ａについての試験結果から異常が発生しているリレーの候補を絞り込む例を、図３、５を参照して説明する。
【０１０５】
得られた試験結果が、図３に示すように、住戸機Ａ１４〜Ａ１６についてのみ異常（図中「×」で表す）となった場合には、分岐器Ｂ１３の分岐リレーの接点３０が共通接点３０ａを常開接点３０ｃに接続した状態で溶着しているものと判断できる。
【０１０６】
一方、得られた試験結果が、図５に示すように、第１の幹線Ｌ１側の全ての住戸機Ａ１１〜Ａ１６について異常（図中「×」で表す）となった場合には、経路切替器Ｓの片方の経路切替リレーの接点２７Ｂが共通接点２７ａを常開接点２７ｃに接続した状態で溶着しているものと判断できる。
【０１０７】
上述したように、一斉試験モードで試験を行うことにより、異常が発生しているリレーの候補の絞り込みが可能となる。
【０１０８】
その他の構成および機能は実施形態２と同様である。
【０１０９】
（実施形態４）
本実施形態のインターホンシステムは、実施形態２で説明したように個別通話時と同じ経路を利用して各住戸機Ａに対して個別に試験信号を送信する個別試験モードと、実施形態３で説明したように一斉放送時と同じ経路を利用して全ての住戸機Ａに試験信号を一斉送信する一斉試験モードとの２種類の試験モードで試験を行う構成を採用している点が実施形態２，３のインターホンシステムとは相違する。
【０１１０】
管理室インターホン２から送出される試験開始コマンドとしての制御信号には、これら２種類の試験モードのいずれかを示す識別子が含まれており、住戸機ＡのＣＰＵ２１は受信した制御信号によっていずれの試験モードであるかを識別する。なお、個別試験モードでは試験信号に映像信号を用い、一斉試験モードでは試験信号に音声信号を用いる。
【０１１１】
ところで、個別試験モードでの試験の試験結果だけでは、実施形態２で説明したように、得られた試験結果が図３に示すパターンとなった場合には、リレーの異常の可能性として、分岐器Ｂ１３の分岐リレーの接点３０の異常と、分岐器Ｂ１４〜Ｂ１６の全ての分岐リレーの接点３０の異常との２候補が考えられる。したがって、異常があるリレーを特定することはできない。
【０１１２】
ここにおいて、個別試験モードだけでなく一斉試験モードでも試験を行うようにすれば、個別試験モードでのみ試験を行う場合よりも、異常のあるリレーの絞込みをさらに厳密に行うことが可能である。特に、多数の住戸機Ａを有する大規模のインターホンシステムでは、分岐器Ｂの台数も多くなり、異常のあるリレーを特定することは一層困難であるから、このように異常のあるリレーの範囲を絞り込むことによる効果は大きい。
【０１１３】
そこで、本実施形態では、個別試験モードでの試験の試験結果と一斉試験モードでの試験の試験結果とを組み合わせることにより異常のあるリレーの範囲を絞り込む結果解析手段３９としての機能を、管理室インターホン２に設けてある。
【０１１４】
すなわち、管理室インターホン２は、個別試験モードでの試験で図３に示す試験結果が得られた場合に、一斉試験モードでの試験でも図３の試験結果が得られれば、分岐器Ｂ１３の分岐リレーの接点３０が共通接点３０ａを常開接点３０ｃに接続した状態で溶着していると判断し、一方、一斉試験モードでの試験で図３の試験結果が得られなければ、分岐器Ｂ１４〜Ｂ１６の全ての分岐リレーの接点３０が共通接点３０ａを常閉接点３０ｂに接続した状態で溶着していると判断する。
【０１１５】
なお、リレーの接点異常には、上述した接点溶着以外にたとえば励磁コイルの断線等による不動作や接点の接触不良などもあり、本発明のインターホンシステムではこのようなリレーの接点異常（不動作、接触不良）も検出することができる。すなわち、不動作時には、接点が共通接点を常閉接点に接続した状態で溶着している場合と同様の試験結果となり、常閉接点側での接触不良時には、接点が共通接点を常開接点に接続した状態で溶着している場合と同様の試験結果となり、常開接点側での接触不良時には、接点が共通接点を常閉接点側に接続した状態で溶着している場合と同様の試験結果となる。
【図面の簡単な説明】
【０１１６】
【図１】本発明の実施形態１のインターホンシステムを示すブロック図である。
【図２】同上の分岐器の構成を示す回路図である。
【図３】本発明の実施形態２のインターホンシステムにおいて複数台の住戸機についての試験結果を示す説明図である。
【図４】同上の他の試験結果を示す説明図である。
【図５】同上のさらに他の試験結果を示す説明図である。
【符号の説明】
【０１１７】
１  通話装置
２１  ＣＰＵ（結果返信手段）
３０  分岐リレーの接点
３２  バイパス回路（バイパス手段）
３５  試験手段
３６  検出手段
３７  結果保持手段
３８  返信元識別手段
３９  結果解析手段
４０  カメラ
４１  映像信号出力手段
２７Ａ，２７Ｂ  経路切替リレーの接点
Ａ１１，Ａ１２，Ａ２１  住戸機
Ｂ１１，Ｂ１２，Ｂ２１  分岐器
Ｌ１，Ｌ２  幹線
Ｌｃ  制御線
Ｌｄ  信号線
Ｌｍ  住戸別線
Ｓ  経路切替器
【図１】
2008047974.tif 000003
【図２】
2008047974.tif 000004
【図３】
2008047974.tif 000005
【図４】
2008047974.tif 000006
【図５】
2008047974.tif 000007